(57)【要約】【課題】レンズの仕様の異なるものを用いることなく、反射面の光ムラを抑制するとともに、光取り出し効率のよい照明器具を提供する。【解決手段】上部に開口部１１０ａを有し、上部から下方へ向かうに従って外方へ拡がる四角形状の反射傘１１０と、複数のＬＥＤパッケージを有し、複数のＬＥＤパッケージが反射傘１１０の開口部１１０ａに対向するように反射傘１１０の上部に設けられた発光ユニット１２０とを備え、反射傘１１０の裏面には、開口部１１０ａの周辺に設けられた四角形状の第１反射面１１２と、第１反射面１１２の各辺から反射傘１１０の下端に設けられ、外方へ湾曲する第２反射面１１３とを有している。【選択図】図１
2014232659.tif 000002
【特許請求の範囲】
【請求項１】
上部に開口部を有し、前記上部から下方へ向かうに従って外方へ拡がる多角形状の反射傘と、
光源を有し、前記光源が前記反射傘の開口部に対向するように当該反射傘の上部に設けられた発光ユニットとを備え、
前記反射傘の裏面には、前記開口部の周辺に設けられた多角形状の第１反射面と、該第１反射面の各辺から前記反射傘の下端に設けられた複数の第２反射面とを有し、
前記第２反射面は、外方へ湾曲していることを特徴とする照明器具。
【請求項２】
前記反射傘は、四角形状に形成され、
前記第１反射面は、四角形状に形成され、
前記第２反射面は、前記第１反射面の各辺を上底として台形状に形成されていることを特徴とする請求項１記載の照明器具。
【請求項３】
前記第１反射面は、各辺が前記開口部側に湾曲していることを特徴とする請求項１又は２記載の照明器具。
【請求項４】
前記第１反射面は、前記開口部から各辺の頂点に向けて上側に湾曲していることを特徴とする請求項１〜３の何れか一項に記載の照明器具。
【請求項５】
前記開口部は、円形状に形成されていることを特徴とする請求項１〜４の何れか一項に記載の照明器具。
【発明の詳細な説明】
【技術分野】
【０００１】
本発明は、例えば、ＬＥＤを光源とする天井埋込型の照明器具に関するものである。
【背景技術】
【０００２】
従来の照明器具として、下部に光の照射開口を有する箱形状の器具本体と、器具本体の中に照射開口に臨むように設けられた光源のＬＥＤパッケージとを備えたものがある（例えば、特許文献１参照）。
【先行技術文献】
【特許文献】
【０００３】
【特許文献１】特開２００８−１０３３００号公報（第１１頁、図８−９）
【発明の概要】
【発明が解決しようとする課題】
【０００４】
しかしながら、前述した特許文献１に記載の照明器具では、光源にＬＥＤなどの点光源を用いているため、反射面に光ムラが生じることがあった。また、ＬＥＤパッケージの発光面にそれぞれレンズを設けているため、それぞれのレンズの照射角を変えて、配光制御することができるが、ＬＥＤパッケージ毎にレンズの仕様が異なるものを設ける必要があった。
【０００５】
本発明は、前述のような課題を解決するためになされたもので、レンズの仕様の異なるものを用いることなく、反射面の光ムラを抑制するとともに、光取り出し効率のよい照明器具を得ることを目的とする。
【課題を解決するための手段】
【０００６】
本発明に係る照明器具は、上部に開口部を有し、上部から下方へ向かうに従って外方へ拡がる多角形状の反射傘と、光源を有し、その光源が反射傘の開口部に対向するように反射傘の上部に設けられた発光ユニットとを備え、反射傘の裏面には、開口部の周辺に設けられた多角形状の第１反射面と、第１反射面の各辺から反射傘の下端に設けられた複数の第２反射面とを有し、第２反射面は、外方へ湾曲している。
【発明の効果】
【０００７】
本発明によれば、反射傘の裏面には、開口部の周辺に設けられた多角形状の第１反射面と、第１反射面の各辺から反射傘の下端に設けられた複数の第２反射面とを有し、その第２反射面を外方へ湾曲させている。第２反射面の湾曲により、開口部の中央から第２反射面の下端までの長さが、湾曲していない反射面と比べ短くなるので、第１反射面と第２反射面とに当たる光が明暗することなく略均一となり、反射面の光ムラを抑制できる。また、第１反射面を有しているので、開口部から放射される発光ユニットの光を下方へ反射させることができ、照明器具の光取り出し効率を、第１反射面に相当する反射面がない場合と比べて向上させることができる。
【図面の簡単な説明】
【０００８】
【図１】実施の形態に係る照明器具を斜め下から見て示す斜視図。
【図２】図１の照明器具を斜め上から見て示す斜視図。
【図３】図１の照明器具を背面から見て示す背面図。
【図４】図１の照明器具を側面から見て示す側面図。
【図５】図１の照明器具を斜め上から見て示す分解斜視図。
【図６】図５の照明器具を斜め下から見たときの分解斜視図。
【図７】図１の照明器具を下方から見て示す平面図。
【図８】図７の照明器具を矢視Ａ−Ａ方向から見て示す断面図。
【図９】図７の照明器具を矢視Ｂ−Ｂ方向から見て示す断面図。
【発明を実施するための形態】
【０００９】
図１は実施の形態に係る照明器具を斜め下から見て示す斜視図、図２は図１の照明器具を斜め上から見て示す斜視図、図３は図１の照明器具を背面から見て示す背面図、図４は図１の照明器具を側面から見て示す側面図である。
【００１０】
図１〜図４において、本実施の形態の照明器具１００は、上部に開口部１１０ａを有する反射傘１１０と、反射傘１１０の上部に取り付けられた発光ユニット１２０と、発光ユニット１２０に取り付けられた点灯装置１３０とを備え、天井板に開けられた開口に埋め込まれた状態で使用される天井埋込型の照明器具である。
【００１１】
反射傘１１０は、例えば、上部から下方へ向かうに従って外方へ拡がる四角形状に形成され、下端の周縁部に額縁状のつば部１１１が設けられている。反射傘１１０の裏面には、開口部１１０ａの周辺に設けられた四角形状の第１反射面１１２と、第１反射面１１２の各辺を上底として台形状に形成された４つの第２反射面１１３とを有している。また、反射傘１１０のつば部１１１には、４つの取付バネ支持部１１４が設けられている。この取付バネ支持部１１４には、板状の取付バネ１１５が嵌め込まれている。
【００１２】
第１反射面１１２は、上方へ湾曲しており、第２反射面１１３は、外方へ湾曲している。取付バネ１１５は、Ｖ字形状に折り曲げられて形成されている。取付バネ１１５の一方の先端部には、外方へ折り曲げられて形成されたＬ字形状の爪部１１５ａと、他方の先端部には、取付バネ支持部１１４に係合する係合部１１５ｂが設けられている。この取付バネ１１５は、天井板の開口に埋め込まれた照明器具１００を固定するための固定具である。
【００１３】
発光ユニット１２０は、後述する光源モジュール部と、光源モジュール部が設けられたヒートシンク１２２とで構成されている。点灯装置１３０には、電源端子台１３１が取り付けられている。
【００１４】
ここで、光源モジュール部、ヒートシンク１２２及び点灯装置１３０の構成について、図５及び図６を参照しながら説明する。
図５は図１の照明器具を斜め上から見て示す分解斜視図、図６は図５の照明器具を斜め下から見たときの分解斜視図である。
【００１５】
前述の光源モジュール部１２１は、光源となる複数のＬＥＤパッケージが実装されるＬＥＤモジュール基板１２１ａと、モジュール取付部１２１ｂと、モジュール取付部１２１ｂを介してＬＥＤモジュール基板１２１ａの複数のＬＥＤパッケージを覆うカバー１２１ｃと、放熱シート１２１ｅとを備えている。
【００１６】
モジュール取付部１２１ｂは、リング形状に形成され、その中央の穴に、複数のＬＥＤパッケージが下方に臨むようにＬＥＤモジュール基板１２１ａが装着される。このモジュール取付部１２１ｂは、４本のネジ１２１ｄによって、ＬＥＤモジュール基板１２１ａを放熱シート１２１ｅと挟んでヒートシンク１２２に固定される。その放熱シート１２１ｅは、ＬＥＤモジュール基板１２１ａから発せられる熱をヒートシンクへ熱伝導する。カバー１２１ｃは、乳白色で、光を透過させる部材よりなり、反射傘１１０の上部に設けられた開口部１１０ａを塞ぐように、その開口部１１０ａとモジュール取付部１２１ｂとの間に設けられる。
【００１７】
ヒートシンク１２２は、下面に円形状の開口を有し、その開口から挿入される光源モジュール部１２１を固定する光源モジュール取付部１２２ａと、この光源モジュール取付部１２２ａの周縁部に周方向に配置された複数の放熱フィン１２２ｂと、この放熱フィン１２２ｂの部分に点灯装置１３０が取り付けられる点灯装置取付部１２２ｃとを備えている。このヒートシンク１２２は、反射傘１１０の上部に設けられたリング形状の支持枠１１０ｂを覆って、３本のネジ１２２ｄにより反射傘１１０に固定される。
【００１８】
点灯装置１３０は、前述の電源端子台１３１と、点灯回路１３２と、点灯装置ケース１３３とで構成されている。電源端子台１３１は、例えば商用電源を供給するＦケーブル（平形フラットのＶＶケーブル）と接続される。点灯回路１３２は、電源端子台１３１に電線を介して接続され、入力される商用電源からＬＥＤモジュール基板１２１ａに必要な直流電力に変換する。
【００１９】
点灯装置ケース１３３は、直方体状に形成され、内部に点灯回路１３２が収容されている。また、点灯装置ケース１３３の長手方向の一方の面には、電源端子台１３１が１本のネジ１３１ａによって固定される。この点灯装置ケース１３３は、２本のネジ１３３ａによって、ヒートシンク１２２の点灯装置取付部１２２ｃに固定される。
【００２０】
次に、照明器具の反射傘１１０について、図７〜図９を用いて更に詳細に説明する。
図７は図１の照明器具を下方から見て示す平面図、図８は図７の照明器具を矢視Ａ−Ａ方向から見て示す断面図、図９は図７の照明器具を矢視Ｂ−Ｂ方向から見て示す断面図である。
【００２１】
第１反射面１１２は、反射傘１１０の裏面の開口部１１０ａ周辺に設けられ、各辺が開口部１１０ａ側に狭まるように湾曲して、開口部１１０ａの周縁枠１１０ｃと接触している。また、第１反射面１１２は、開口部１１０ａから各辺の頂点に向かうに従って上方へ湾曲している。
【００２２】
第２反射面１１３は、つば部１１１の内側の各縁部から反射傘１１０の中央に向かうに従って等角度で狭まり、かつ斜め外方へ湾曲している。また、第２反射面１１３の上底は、第１反射面１１２の形状にあわせて、中央が凸状となるように湾曲している。
【００２３】
例えば、第２反射面１１３が平面であった場合、開口部１１０ａの中央から第２反射面１１３の下端（下底）との距離を考慮したときに、第２反射面１１３の中央部から下端までの距離が長くなる。これに対して本実施の形態においては、第２反射面１１３が湾曲しているため、開口部１１０ａの中央から第２反射面１１３の下端までの距離、即ち第２反射面１１３の中央部から下端までの距離が短くなりかつ緩やかになる。
【００２４】
以上のように実施の形態によれば、第２反射面１１３の湾曲により、開口部１１０ａの中央から第２反射面１１３の下端までの長さが、湾曲していない反射面と比べ短くなるので、第１反射面１１２と第２反射面１１３とに当たる光が明暗することなく略均一となり、反射面の光ムラを抑制できる。また、第１反射面１１２を有しているので、開口部１１０ａから放射される発光ユニット１２０の光を下方へ反射させることができ、照明器具１００の光取り出し効率を、第１反射面１１２に相当する反射面がない場合と比べて、約１０％向上させることができる。
【００２５】
なお、実施の形態では、反射傘１１０の形状を四角形としたが、これに代えて、六角形状としてもよい。その場合、第１反射面１１２は、六角形状に形成され、第２反射面１１３は、第１反射面１１２の各辺を上底とする台形状に形成される。
【００２６】
このように構成した場合でも、第１反射面１１２と第２反射面１１３とに当たる光が明暗することなく略均一となり、反射面の光ムラを抑制できる。また、開口部１１０ａから放射される発光ユニット１２０の光を下方へ反射させることができ、照明器具１００の光取り出し効率を、第１反射面１１２に相当する反射面がない場合と比べて向上させることができる。
【符号の説明】
【００２７】
１００  照明器具、１１０  反射傘、１１０ａ  開口部、１１０ｂ  支持枠、１１０ｃ  周縁枠、１１１  つば部、１１２  第１反射面、１１３  第２反射面、１１４  取付バネ支持部、１１５  取付バネ、１１５ａ  爪部、１１５ｂ  係合部、１２０  発光ユニット、１２１  光源モジュール部、１２１ａ  ＬＥＤモジュール基板、１２１ｂ  モジュール取付部、１２１ｃ  カバー、１２１ｄ  ネジ、１２１ｅ  放熱シート、１２２  ヒートシンク、１２２ａ  光源モジュール取付部、１２２ｂ  放熱フィン、１２２ｃ  点灯装置取付部、１２２ｄ  ネジ、１３０  点灯装置、１３１  電源端子台、１３１ａ  ネジ、１３２  点灯回路、１３３  点灯装置ケース、１３３ａ  ネジ。
【図１】
2014232659.tif 000003
【図２】
2014232659.tif 000004
【図３】
2014232659.tif 000005
【図４】
2014232659.tif 000006
【図５】
2014232659.tif 000007
【図６】
2014232659.tif 000008
【図７】
2014232659.tif 000009
【図８】
2014232659.tif 000010
【図９】
2014232659.tif 000011